(57)【要約】【課題】両偏心管の中心軸線と中心軸線との間の寸法を測定すれば、その値により直ちに呼管の寸法を計測できるために、面倒な取扱い操作を要しなくなる４５度エルボ間配管用の管寸法読取器具を提供する。【解決手段】中心軸線がその延長線どうしで平行となるように配管される上流偏心管と下流偏心管とに、それぞれに４５度エルボを介して呼管を４５度の斜めに接続する配管において、予め呼管の配管寸法を割り出すために使用する４５度エルボ間配管用の管寸法読取器具であって、そのフレームとなる尺本体に、メートル尺を一体に設ける他に、メートル目盛りを１／√２に縮小した√目盛りを有するルート２尺をスライド可能に隣接して設け、さらに、尺本体には、４５度エルボの規格毎の呼径を数値で配列するとともに、エルボ中心から呼径部分の端に至る伸寸の２倍数値を√２尺から取った目印を該当する呼径の数値毎に記入した。【選択図】    図１
2011017585.tif 000002
【特許請求の範囲】
【請求項１】
中心軸線がその延長線どうしで平行となるように配管される上流偏心管と下流偏心管とに、それぞれに４５度エルボを介して呼管を４５度の斜めに接続する配管において、予め呼管の配管寸法を割り出すために使用する４５度エルボ間配管用の管寸法読取器具であって、そのフレームとなる尺本体に、メートル尺を一体に設ける他に、メートル目盛りを１／√２に縮小した√目盛りを有する√２尺をスライド可能に隣接して設け、さらに、尺本体には、４５度エルボの規格毎の呼径を数値で配列するとともに、エルボ中心から呼径部分の端に至る伸寸の２倍数値を√２尺から取った目印を該当する呼径の数値毎に記入したことを特徴とする４５度エルボ間配管用の管寸法読取器具。
【請求項２】
√２尺のゼロの位置の反対の端に、√２尺のゼロをメートル尺２のゼロに合うスライド位置で尺本体の端に突き当たるストッパーを設け、√２尺にそのスライド位置を固定する押すネジを設けたことを特徴とする請求項１記載の４５度エルボ間配管用の管寸法読取器具。
【発明の詳細な説明】
【技術分野】
【０００１】
この発明は、上流側の配管と下流側の配管が平行な偏心関係にあるときに、その偏心する両配管に取り付けられる４５度エルボ間の配管（呼管）の寸法を割り出すことのできる４５度エルボ間配管用の管寸法読取器具に関する。
【背景技術】
【０００２】
配管工事において、直列から外れて平行関係に偏心した上流側の配管と下流側の配管との間を連結する際には，一般的に偏心両方の配管に４５度エルボを取り付け、４５度エルボを介して４５度の斜めに呼管が接続される。しかし、用いる呼管の寸法を予め取ることは容易ではなかった。
【０００３】
なお、塩ビの４５度エルボでは、４５度に曲がる本体の両端に呼管が嵌まる接続部が突出して形成され、その内径（呼径）が本体の外形とほゞ同じ大径に形成され、本体の内径と接続部の呼径との間に段差を有し、呼管は隠れた内部の段差に突き当たるまで差し込まれる関係で、呼管の寸法が割り出し難い。そこで、４５度エルボ間配管用の管寸法読取器具が使用されることもあった。
【０００４】
従来の管寸法読取器具Ｑは、図７に示すように、伸縮シャフト５０の両端に仮の４５度エルボ５２，５２を取り付け、両仮の４５度エルボ５２，５２の外面に呼径の段差の位置が赤線５４，５４で示されたものであった。
【発明の概要】
【発明が解決しようとする課題】
【０００５】
上記のような従来の管寸法読取器具Ｑによれば、使用において、偏心配管に仮４５度エルボ５２，５２をはめ込んでから、所定の位置に両偏心管が位置するように伸縮シャフト５０を伸縮調整してから、両赤線５４，５４間の寸法Ｌａを測定するもので、この値Ｌａが呼管の寸法として用いられるが、取扱い操作が容易ではなく非常に面倒であった。
【０００６】
この発明は、上記のような実情に鑑みて、両偏心管の中心軸線と中心軸線との間の寸法を測定すれば、その値により直ちに呼管の寸法を計測できるために、面倒な取扱い操作を要しなくなる４５度エルボ間配管用の管寸法読取器具を提供することを課題とした。
【課題を解決するための手段】
【０００７】
上記の課題を解決するために、この発明は、中心軸線がその延長線どうしで平行となるように配管される上流偏心管と下流偏心管とに、それぞれに４５度エルボを介して呼管を４５度の斜めに接続する配管において、予め呼管の配管寸法を割り出すために使用する４５度エルボ間配管用の管寸法読取器具であって、そのフレームとなる尺本体に、メートル尺を一体に設ける他に、メートル目盛りを１／√２に縮小した√目盛りを有するルート２尺をスライド可能に隣接して設け、さらに、尺本体には、４５度エルボの規格毎の呼径を数値で配列するとともに、エルボ中心から呼径部分の端に至る伸寸の２倍数値を√２尺から取った目印を該当する呼径の数値毎に記入したことを特徴とする４５度エルボ間配管用の管寸法読取器具を提供するものである。
【０００８】
４５度エルボ間配管用の管寸法読取器具を上記のように構成したから、これで両４５度エルボの間に収める呼管の長さを割り出すには、当該４５度エルボの呼径の数値の目印に、√２尺３のゼロの目盛りを合わせる。そうして、両偏心管の間の中心軸の間を測定した偏心寸法をメートル尺に取り、その目盛りから√目盛りを読み取ると、その値が呼管の配管寸法となる。
【発明の効果】
【０００９】
以上説明したように、この発明は、両偏心管の間の距離としての偏心寸法を√２倍した値が両４５度エルボの中心間の寸法（心々寸法）に相当し、それから、両４５度エルボの合計伸寸の値（伸寸の２倍値）を差し引けば、呼管の寸法が出ることに着眼したもので、この管寸法読取器具の使用においては、４５度エルボの規格毎に決まっている伸寸の２倍の値を、√２尺のスライドにより差し引いておくために、両偏心管の中心軸線と中心軸線との間の寸法を測定すれば、その値により直ちに呼管の寸法を正確に読み取ることができるもので、面倒な取扱い操作を要しなく、配管の作業効率を大幅に向上できるという優れた効果がある。
【図面の簡単な説明】
【００１０】
【図１】この発明の一実施例を示す４５度エルボ間配管用の管寸法読取器具の平面図である。
【図２】同４５度エルボ間配管用の管寸法読取器具において、呼管の配管寸法を読み取る位置に√２尺をスライド設定した状態を示す平面図である。
【図３】両偏心管に４５度エルボを介して呼管を接続した状態を示す正面図である。
【図４】√２尺の規格に基づく呼径ごとの伸寸を記載した表を示す平面図である。
【図５】他の実施例を示す４５度エルボ間配管用の管寸法読取器具の断面図である。
【図６】塩ビ管用の４５度エルボの一般的な断面図である。
【図７】従来例を示す４５度エルボ間配管用の管寸法読取器具の正面図である。
【発明を実施するための形態】
【００１１】
図３は、偏心管２３，２４の間の呼管２５による配管状態を示し、上流側の偏心管２３と下流側の偏心管２４とに呼管２５が４５度エルボ２７，２７を介して接続される。そして、両偏心管２３，２４の間の偏心寸法Ｍに対して、両４５度エルボ２７，２７の中心２８，２８間の心々距離Ｎは、√２倍となる関係にある。
【００１２】
この発明において、４５度エルボ２７について、伸寸ｍとは、４５度エルボ２７に呼管２５を最後まで嵌め込んだ場合に、４５度エルボ２７の中心２８から呼管２５の先端までの距離をいうものとする。つまり、エルボ中心から呼径Ｄ部分の端に至る寸法をいう．また、ここに中心２８とは、偏心管の正に中心であって、偏心管２３，２４の中心軸線αと呼管２５の中心軸線βとが交わる点をいう。これは、塩ビ管であっても鋼管であっても同じである。
【００１３】
以下に塩ビ管の配管の場合について述べるが、鋼管の配管の場合についても同様の考えで実施できる。また、４５度エルボ２７の規格がメートルで表示される場合について示すが、インチで表示される場合にも同様の考えにより実施できる。その場合に目印２１はインチの値をメートルに換算して位置決めされる。
【実施例１】
【００１４】
図１および図２は、この発明の一実施例を示し、その４５度エルボ間配管用の管寸法読取器具Ｐは、尺本体１に１メートルのメートル尺２を一体に設けるとともに、√２尺３をスライド可能に並列して組み合わせたもので、メートル尺２には１ミリ単位でメートル目盛り５が記入され、√２尺３には、メートル尺２の目盛り５を１／√２に縮小した√目盛り７が記入される。
【００１５】
管寸法読取器具Ｐは、対象物に突き合わせて実測しやすいように、尺本体１がメートル尺２のゼロの位置０で切断された小口形状となっている。ただし、ゼロの位置０から外側へ例えば５ｍｍ度延長されていても測定が可能であり、巻き尺等で測定も可能なので、延長した長さにしても良い。
【００１６】
また、√２尺３の他端にはストッパー１１が設けられる。これは、メートル尺２のゼロの位置０に、√２尺３のゼロが一致した状態（図１の状態）に保持しやすいようにするためで、同図ではメートル尺２の端にストッパー１１が突き当たっている。この状態で、メートル尺２による実測は容易となる。しかし、これだけでは√２尺３が引き抜かれる方向へスライドするので、√２尺３に押すネジ１３が設けられこれで完全固定される（図５参照）。
【００１７】
メートル尺２と反対側において、尺本体１には、表示台１５がルート２尺３と並列して設けられる。ちなみに、表示台１５は尺本体１およびメートル尺２と一体関係にあり、√２尺３はそれらに対してスライドする。この表示台１５にはゼロの位置０側の一端部において、４５度エルボ２７の呼径Ｄの径表示とともに、両伸寸ｍ，ｍを合計した数値を√２尺３に取った目印２１が設けられる。
【００１８】
４５度エルボ２７は、４５度に曲がる本体２７ａの両端に呼管２５が嵌まる接続部２７ｂ，２７ｂが突出し（図６参照）、その内径が本体２７ａの内径よりも大きい呼径Ｄに形成され、本体の内径と接続部２７ｂの呼径Ｄとの間に段差３２を有する。そこで、呼管２５の配管寸法Ｌは、両４５度エルボの内部に隠れた段差３２，３２間の寸法となる。したがって、呼管２５の寸法は、心々距離Ｎから伸寸ｍ，ｍを差し引いて求められる。この明細書では、４５度エルボ２７の中心２８と段差２９（金属製では雌ネジ）間の寸法をこのように上記のように伸寸ｍと称することにした。
【００１９】
上記の如く、呼管２５の配管寸法Ｌは、エルボ心々２８，２８間の寸法Ｎから両伸寸ｍ，ｍの合計寸法を除した寸法となる。呼寸ｍは、呼径Ｄの規格寸法に従って段階的に決まっており、それは表Ｇに示す通りである。これは例えば配管作業中に携帯して必要に応じて読み取るように使用される。
【００２０】
計算上から見ると、両偏心管２３，２４の中心軸線α，α間の距離としての偏心寸法Ｍをメートル尺２または携帯する巻き尺等で測定し、それを√２倍すると、これがエルボ心々３１，３１間の寸法Ｎであるから、これから伸寸ｍ，ｍの値を差し引くと、呼管２５の配管寸法Ｌが出されることになるが、差し引く計算は不要である。
【００２１】
この差し引く計算を必要としないように、表示台１５には、呼径Ｄの規格数値を配列して記入するとともに、それぞれについて、両伸寸ｍ，ｍの合計の値で√２尺３で取った目印２１，２１，・・が記入される。例えば、４５度エルボ２７の規格において、呼径Ｄが５０であるとする。そして、呼径Ｄが５０の目印２１に√２尺３のゼロの位置を合わせると（図２）、伸寸ｍｍの合計３６ｍｍの値Ｋが引かれた√２の値を計算できる計算尺の設定となる。
【００２２】
この設定において、メートル尺２で１００ｍｍでは１０５ｍｍ、１１０ｍｍでは１１９ｍｍを読み取ることができる。つまり、呼管２５の求める配管寸法Ｌは、１０５ｍｍ，１１９ｍｍである。しかし、現場においては、４５度エルボ２７の規格は同じで揃っているため、一々表Ｇを見る必要はなく、記憶において処理できる。
【実施例２】
【００２３】
図５は、４５度エルボ間配管用の管寸法読取器具Ｐについて、尺両面を別々形式に使用できるようにしたもので、尺本体１の中央部がアルミ押出形材により表裏両面に開口する両面蟻溝型に形成され、表裏蟻溝にスライダー３５，３６が嵌め込まれ、両スライダーに√２尺３，３が貼り合わされ、左右に上下交互にメートル尺２，２と表示台１５，１５を設け、上の表示台１５には上記実施例と同じくメートルの呼径Ｄと目印２１が、下の表示台１５にはインチの呼径Ｄと目印２１がそれぞれ表示される。こうして、規格がインチ式であるエルボにも適用できるようになっている。
【符号の説明】
【００２４】
Ｐ  ４５度エルボ間配管用の管寸法読取器具
０  ゼロの位置
１  尺本体
２  メートル尺
３  √２尺
５  メートル目盛り
７  √目盛り
１１  ストッパー
１３  押すネジ
２１  目印
２３  上流側の偏心管
２４  下流側の偏心管
２５  呼管
２７  ４５度エルボ
２８  エルボ中心
Ｄ  呼径
Ｇ  表
ｍ  伸寸
α  中心軸線
【図１】
2011017585.tif 000003
【図２】
2011017585.tif 000004
【図３】
2011017585.tif 000005
【図４】
2011017585.tif 000006
【図５】
2011017585.tif 000007
【図６】
2011017585.tif 000008
【図７】
2011017585.tif 000009